(57)【要約】【課題】  簡単な構成により、Ｘ−ＰＣＢの共通化を図り、経済的性を向上し、しかも、効果的にＥＭＩノイズの抑制を図ることを目的とする。【解決手段】  ソース駆動回路部５は、１枚の液晶パネル３に対して、同一構成のソース駆動回路要素５ａ、５ｂを複数有し、各ソース駆動回路要素５ａ、５ｂは、１つのＸ−ＰＣＢ５１と、このＸ−ＰＣＢ５１に接続され、ソースドライバ５３ｓが実装された複数のソース用ＣＯＦ５３とからなり、Ｘ−ＰＣＢ５１は、ソース用の伝送ＦＰＣ７１が接続される入力コネクタ５２ｃを１つのみ有し、ソース用ＣＯＦ５３は、液晶パネル３のソース端子部３３に接続される出力端子部５３ｔを、更に備え、液晶パネル３は、ソース駆動回路要素５１１ａ、５１１ｂの１つを形成するソース用ＣＯＦ５３の数に対応する数のソース端子部３３を一組の端子群３５として、この端子群３５をソース駆動回路要素５ａ、５ｂの数に対応する数、液晶パネル３に形成する。【選択図】図２
2009020228.tif 000002
【特許請求の範囲】
【請求項１】
画素電極と画素電極に対応する薄膜トランジスタとが形成された液晶パネルを有する液晶モジュールと、映像信号からソースドライバ用信号とゲートドライバ用信号とを生成する表示信号処理部が搭載された主プリント配線基板と、前記ソースドライバ用信号に基づいて前記液晶パネルのソース線を駆動するソースドライバを有するソース駆動回路部と、前記ゲートドライバ用信号に基づいて前記液晶パネルのゲート線を駆動するゲートドライバを有するゲート駆動回路部とを備え、前記主プリント配線基板は、映像信号が入力される映像信号入力端子と、ソースドライバ用信号とゲートドライバ用信号とが出力されるドライバ用信号出力端子とがそれぞれ設けられ、これら映像信号入力端子およびドライバ用信号出力端子を、それぞれソース用の伝送フレキシブル基板およびゲート用の伝送フレキシブル基板を介して前記ソース駆動回路部およびゲート駆動回路部に接続するとともに、前記ソース駆動回路部およびゲート駆動回路部を、前記液晶パネルに形成されたソース端子部およびゲート端子部に接続するようにした液晶表示装置において、
前記ソース駆動回路部は、前記液晶パネル１枚に対して、同一構成のソース駆動回路要素を複数有し、各ソース駆動回路要素は、１つのソース分配プリント回路基板と、このソース分配プリント回路基板に接続され、前記ソースドライバが実装された複数のソース用チップオンフイルム基板とからなり、前記ソース分配プリント回路基板は、前記ソース用の伝送フレキシブル基板が接続される入力コネクタを１つのみ有し、前記ソース用チップオンフイルム基板は、前記液晶パネルの前記ソース端子部に接続される出力端子部を、更に備え、前記液晶パネルは、前記ソース駆動回路要素の１つを形成するソース用チップオンフイルム基板の数に対応する数の前記ソース端子部を一組の端子群として、この端子群を前記ソース駆動回路要素の数に対応する数、前記液晶パネルに形成したことを特徴とする液晶表示装置。
【請求項２】
前記ソース駆動回路部は、前記ソース駆動回路要素を２組備えるとともに、前記液晶パネルは、前記端子群を４組備え、これら端子群は、前記液晶パネルの非表示領域の上下の左右に対称に４箇所配置して形成されていることを特徴とする請求項１に記載の液晶表示装置。
【請求項３】
前記主プリント配線基板は、前記液晶パネルの背面の略中心部分に配設されていることを特徴とする請求項１または請求項２に記載の液晶表示装置。
【発明の詳細な説明】
【技術分野】
【０００１】
本発明は、液晶パネルに形成された薄膜トランジスタを駆動制御するのに用いられるソース分配プリント回路基板（以下「Ｘ−ＰＣＢ」と称す。以下同じ）の共通化を図り、経済的性を向上し、しかも、効果的にＥＭＩ(Ｅｌｅｃｔｒｏ  Ｍａｇｎｅｔｉｃ  Ｉｎｔｅｒｆｅｒｅｎｃｅ：電磁干渉)ノイズの抑制を図ることができるようにしたものである。
【背景技術】
【０００２】
近年、液晶モジュールの薄型化および表示画面の大型化が進み、従来のＣＲＴに替わって液晶モジュールを備えた液晶表示装置が急速に普及している。このような液晶表示装置にあっては、各種部品の共通化を図ること、およびＥＭＩノイズの抑制を図ることが望まれている。
【０００３】
従来、この種液晶表示装置の液晶パネルの表示画面の大きさが、例えば、３２インチ未満のものでは、液晶パネルに接続されるソース駆動回路部は、１つのＸ−ＰＣＢにソースドライバを実装したソース用チップオンフイルム基板（ＣＯＦ：Ｃｈｉｐ  Ｏｎ  Ｆｉｌｍ：「ソース用ＣＯＦ」）を複数個接続していた。
【０００４】
しかし、表示画面の大きさが、３２インチ以上になると、ソース駆動回路部を１つの構成要素として製作するには、強度上や製作過程における取扱い上の点などから問題があり、例えば、図９に示すように、ソース駆動回路部を複数に分割して構成していた。図９は、液晶パネルを画像表示面からみた展開図（開いた状態）である。この例では、ソース駆動回路部１５０を２つのソース駆動回路要素１５０ａ、１５０ｂから構成し、これらソース駆動回路要素１５０ａ、１５０ｂは、図１０および図１１に示すように、１つのＸ−ＰＣＢ１５１に、複数、例えば、５つのソース用ＣＯＦ１５３を圧着接続していた。そして、ソース駆動回路要素１５０ａ、１５０ｂは、Ｘ−ＰＣＢ１５１の共通化を図るために、同図に示すように、両端部近傍に入力コネクタ１５２ａ、１５２ｂを設け、これら入力コネクタ１５２ａと、入力コネクタ１５２ｂとの間を接続線１５５により接続した構成としている。そして、Ｘ−ＰＣＢ１５１を、一方のソース駆動回路要素１５０ａとして使用する場合には、図１０に示すように、入力コネクタ１５２ａに、主プリント配線基板１４０からのソースドライバ用信号（画像データ信号）Ｓを伝送するソース用の伝送フレキシブル基板（Ｆｌｅｘｉｂｌｅ  Ｐｒｉｎｔｅｄ  Ｃｉｒｃｕｉｔ：「伝送ＦＰＣ」）１７１を接続し、また、Ｘ−ＰＣＢ１５１を、他方のソース駆動回路要素１５０ｂとして使用する場合には、図１１に示すように、入力コネクタ１５２ｂに、主プリント配線基板１４０からのソースドライバ用信号Ｓを伝送するソース用の伝送ＦＰＣ１７１を接続して構成していた。なお、図９において、１３０は、画像情報を表示する液晶パネル、１６０は、ゲート駆動回路部で、上述のソース駆動回路部１５０と同様、２つのゲート駆動回路要素１６０ａ、１６０ｂから形成され、これらゲート駆動回路要素１６０ａ、１６０ｂの入力コネクタ１６２ａ、１６２ｂに、主プリント配線基板１４０からのゲートドライバ用信号を伝送するゲート用の伝送ＦＰＣ１７２が接続されている。また、図１０および図１１においては、ソースドライバ用信号Ｓが流れる配線パターン、即ち、Ｘ−ＰＣＢ１５１に形成される信号供給配線１５４および接続線１５５などは、本来はそれぞれソースドライバ１５３ｓが接続されている液晶表示パネ１３０のソース信号線の本数に対応する数の信号供給配線１５４の列および接続線１５５の列からなるものであるが、説明を容易にするために、これら信号供給配線１５４および接続線１５５などを単一の線として表示してある。
【０００５】
一般的に、液晶パネル１３０の薄膜トランジスタを、単に、オン・オフ制御するために、ゲートドライバ１６３ｇを実装したゲート用チップオンフイルム基板（「ゲート用ＣＯＦ」）１６３に流すゲートドライバ用信号は、単純である。従って、ゲート駆動回路要素１６０ａ、１６０ｂのゲート分配プリント回路基板１６１（「Ｙ−ＰＣＢ」）の配線パターンは、単純であり、Ｙ−ＰＣＢ１６１の特性インピーダンスの違によるＥＭＩノイズの発生は、極めて少なく、特別に考慮する必要はない。
【０００６】
ところが、液晶パネル１３０の薄膜トランジスタを駆動するために、ソースドライバ１５３ｓを実装したソース用ＣＯＦ１５３に供給するソースドライバ用信号Ｓは、一般的に高周波帯域の周波数が用いられ、しかも、極めて複雑である。従って、上述の構成によると、図１０および図１１から明らかなように、ソース駆動回路要素１５０ａ、１５０ｂの各Ｘ−ＰＣＢ１５１では、複雑なソースドライバ用信号Ｓが流れる経路が、入力コネクタ１５１ａ、１５１ｂの位置により異なり、配線パターンの特性インピーダンスが相違し、これに基因して、ＥＭＩノイズの抑制を図ることができなかった。このため、この種Ｘ−ＰＣＢの共通化を図ることができないなどと言った問題があった。
【０００７】
一般的に、部品の共通化を図るために、例えば、サイズの異なる２つの液晶パネルの電極端子の中心距離に合わせてＦＰＣおよび第１の電極群をオフセットする長さＬを設定するとともに、使用する液晶パネルサイズに応じてＦＰＣの配置を組み合わせることにより、同一部品を２種類の液晶パネルサイズに適用するようにしたものがある(特許文献１参照）。また、入力端子を左右対称に形成した２種類の駆動用素子を交互に配置し、接続用パッドを共通化するようにしたものがある(特許文献２参照）。
【０００８】
更には、液晶表示装置において、データドライバを、液晶表示素子の対向する一対の側片部にそれぞれ２個ずつ対称に配置したものがある(特許文献３参照）。
【特許文献１】特開２００１−１０９３９１号公報
【特許文献２】特開２０００−１１２３８３号公報
【特許文献３】特開平６−２０２１２４号公報
【発明の開示】
【発明が解決しようとする課題】
【０００９】
しかし、前述の特許文献１乃至特許文献３参記載の構成では、何れの構成も液晶表示装置の大型化に対応して、Ｘ−ＰＣＢの共通化を図ものではない。従って、これら特許文献１乃至特許文献３参記載の構成では、経済的性を向上し、しかも、効果的にＥＭＩノイズの抑制を図ることができないといった問題があった。
【００１０】
本発明は、上述した問題を解決するためになされたものであり、Ｘ−ＰＣＢの共通化を図り、経済的性を向上し、しかも、効果的にＥＭＩノイズの抑制を図ることができるようにした液晶表示装置を提供することを目的とする。
【課題を解決するための手段】
【００１１】
かかる目的を達成するため、本発明では、画素電極と画素電極に対応する薄膜トランジスタとが形成された液晶パネルを有する液晶モジュールと、映像信号からソースドライバ用信号とゲートドライバ用信号とを生成する表示信号処理部が搭載された主プリント配線基板と、ソースドライバ用信号に基づいて液晶パネルのソース線を駆動するソースドライバを有するソース駆動回路部と、ゲートドライバ用信号に基づいて液晶パネルのゲート線を駆動するゲートドライバを有するゲート駆動回路部とを備え、主プリント配線基板は、映像信号が入力される映像信号入力端子と、ソースドライバ用信号とゲートドライバ用信号とが出力されるドライバ用信号出力端子とがそれぞれ設けられ、これら映像信号入力端子およびドライバ用信号出力端子を、それぞれソース用の伝送ＦＰＣおよびゲート用の伝送ＦＰＣを介してソース駆動回路部およびゲート駆動回路部に接続するとともに、ソース駆動回路部およびゲート駆動回路部を、液晶パネルに形成されたソース端子部およびゲート端子部に接続するようにした液晶表示装置において、ソース駆動回路部は、液晶パネル１枚に対して、同一構成のソース駆動回路要素を複数有し、各ソース駆動回路要素は、１つのＸ−ＰＣＢと、このＸ−ＰＣＢに接続され、ソースドライバが実装された複数のソース用ＣＯＦとからなり、Ｘ−ＰＣＢは、ソース用の伝送ＦＰＣが接続される入力コネクタを１つのみ有し、ソース用ＣＯＦは、液晶パネルのソース端子部に接続される出力端子部を、更に備え、液晶パネルは、ソース駆動回路要素の１つを形成するソース用ＣＯＦの数に対応する数のソース端子部を一組の端子群として、この端子群をソース駆動回路要素の数に対応する数、液晶パネルに形成する。
【００１２】
この構成によれば、ソース駆動回路部は、複数のソース駆動回路要素に分割して構成しても、各ソース駆動回路要素のＸ−ＰＣＢは、ソース用の伝送ＦＰＣが接続される入力コネクタを１つのみからなる同一構成であり、しかも、液晶パネルは、ソース駆動回路要素の１つを形成するソース用ＣＯＦの数に対応する数のソース端子部を一組の端子群として、この端子群をソース駆動回路要素の数に対応する数、液晶パネルに形成して構成してある。従って、複雑で、かつ、高周波帯域の周波数であるソースドライバ用信号が流れるＸ−ＰＣＢの配線パターンの特性インピーダンスは、同じとなり、ＥＭＩノイズの抑制を図ることができる。この結果、液晶パネルの大型化に伴って、ソース駆動回路部を、複数のソース駆動回路要素に分割しても、Ｘ−ＰＣＢの共通化が図れ、その構成は、簡単で、経済的なものとなる。
【００１３】
また、本発明においては、ソース駆動回路部は、ソース駆動回路要素を２組備えるとともに、液晶パネルは、端子群を４組備え、これら端子群は、液晶パネルの非表示領域の上下の左右に対称に４箇所配置して形成する。この構成によれば、ソース駆動回路部を２つに分割したソース駆動回路要素を、上下のいずれかに接続するか、或いは、上下のそれぞれに非対称に配設することができ、Ｘ−ＰＣＢの種々のパターンに対応することができ、都合がよい。
【００１４】
更に、本発明においては、主プリント配線基板は、液晶パネルの背面の略中心部分に配設されている。この構成によれば、主プリント配線基板が、液晶パネルの背面の略中心部分に配設されているもで、主プリント配線基板と、ソース駆動回路部とを接続するソース用伝送ＦＰＣおよび主プリント配線基板と、ゲート駆動回路部ゲート用伝送ＦＰＣをそれぞれ同じ構成にでき、かつ、これら構成が対称配置となり、より効果的に、ＥＭＩノイズの抑制を図ることができ、都合がよい。
【発明の効果】
【００１５】
本発明によれば、簡単な構成により、しかも、Ｘ−ＰＣＢの共通化を図り、経済的性を向上し、しかも、効果的にＥＭＩノイズの抑制を図るようにした液晶表示装置を得ることができる。
【発明を実施するための最良の形態】
【００１６】
（第１実施形態）
以下、本発明の一実施形態を図１乃至図５に基づいて説明する。図１は、本発明の一実施形態に係る液晶表示装置の一例である液晶テレビジョンの概略構成を示す正面図である。図２は、図１に示す液晶テレビジョンに用いた液晶モジュールの液晶パネルを画像表示面側からみた概略展開図（開いた状態）、図３は、図２に示す液晶モジュールの要部断面図、図４は、図２に示す液晶パネルの一部を示す概略平面図、図５は、図２に示すソース駆動回路要素の概略平面図、図６は、図４に示すソース用ＣＯＦの概略平面図である。
【００１７】
図１に示す液晶テレビジョン１は、厚みの薄い略矩形状の筐体１１を有している。筐体１１は、例えば、スタンド機構１２などにより略鉛直に正立され、その正面側に矩形状の開口１１１が設けられている。開口１１１には、映像表示手段である、液晶モジュール２の液晶パネル３が嵌め込まれ、この液晶パネル３において映像を表示することが可能となっている。また、例えば、液晶モジュール２の下方には、スピーカ１３が配設されている。
【００１８】
かかる構成により、ユーザは、例えば、筐体１１に設けられた図示しない操作部或いはリモコンを操作し、所望のチャンネルに合わせることにより、液晶モジュール２の液晶パネル３に表示される画像を観ることができ、同時にスピーカ１３から音声を聴くことができる。
【００１９】
而して、本発明に従い、液晶モジュール２は、図２乃至図６に示すように、光源部２１と、光学部２２と、画像情報を表示する液晶パネル３などから構成されている。液晶パネル３は、ソース駆動回路部５およびゲート駆動回路部６を介して主プリント配線基板４に接続されている。光源部２１は、液晶パネル３の背面に配設され、液晶パネル２１に光を照射するバックライト用の複数のランプＬを備えている。また、光学部２２は、光源部２１から出射された出射光を均一に拡散する機能を有しており、例えば、プリズムシート、拡散シートおよび拡散板などから形成されている。なお、図中２３は、フレームである。
【００２０】
液晶パネル３は、図示しないが、２枚のガラス基板の間に液晶を挟み、一方のガラス基板に画素電極と画素電極に対応する薄膜トランジスタとが形成されている。そして、画像情報を表示する表示領域３１の外側に、非表示領域３２が存在する。この非表示領域３２には、図４に示すように、液晶パネル３に形成された薄膜トランジスタを駆動するソース線およびゲート線が接続されたソース端子部３３およびゲート端子部３４が形成されている。
【００２１】
主プリント配線基板４には、テレビジョン受信手段（不図示）からの映像信号からソースドライバ用信号とゲートドライバ用信号とを生成する表示信号処理部４１が搭載されているとともに、映像信号が入力される映像信号入力端子４２と、表示信号処理部４１から出力されるソースドライバ用信号を出力するドライバ用信号出力端子４３ａ、４３ｂ、およびゲートドライバ用信号を出力するドライバ用信号出力端子４４ａ、４４ｂとがそれぞれ設けられている。
【００２２】
ソース駆動回路部５は、２分割され、１枚の液晶パネル３に対して、複数、図示する例では、２つの同一構成のソース駆動回路要素５ａ、５ｂから形成されている。ソース駆動回路要素５ａ、５ｂは、図５に示すように、１つのＸ−ＰＣＢ５１と、このＸ−ＰＣＢ５１に接続され、ソースドライバ用信号に基づいて液晶パネル３のソース線を駆動するソースドライバ５３ｓが実装された複数、図示する例では、５つのソース用ＣＯＦ５３とから形成されている。また、Ｘ−ＰＣＢ５１には、ソース用の伝送ＦＰＣ７１が接続される入力コネクタ５２ｃは、１つのみ形成されている。また、Ｘ−ＰＣＢ５１には、入力コネクタ５２ｃから入力されるソースドライバ用信号Ｓが流れる配線パターン、即ち、Ｘ−ＰＣＢ５１に形成される信号供給配線５２ｐが形成されている。なお、図５においては、ソースドライバ用信号Ｓが流れる信号供給配線５２ｐは、本来、それぞれソースドライバ５３ｓが接続されている液晶表示パネ３のソース信号線の本数に対応する数の信号供給配線５２ｐの列からなるものであるが、説明を容易にするために、これら信号供給配線５２ｐを単一の線として表示してある。
【００２３】
また、ソース用ＣＯＦ５３には、図６に示すように、液晶パネル３のソース端子部３３に接続される複数の端子（不図示）からなる出力端子部５３ｔが形成されている。そして、上述の液晶パネル３には、図４に示すように、ソース駆動回路要素５ａ、５ｂの１つを形成するソース用ＣＯＦ５３の数をｎ１、ソース端子部３３の数をｎ２としたとき、ソース用ＣＯＦ５３の数ｎ１に対応する数ｎ２のソース端子部３３を一組の端子群３５として、この端子群３５が、ソース駆動回路要素５ａ、５ｂの数（Ｎ１）に対応する数（Ｎ２）の端子群３５が形成されている。即ち、本実施形態では、ｎ１＝５であり、ｎ２＝５となり、また、Ｎ１＝２であり、Ｎ２＝２となり、ソース端子部３３が５個形成され、この５個のソース端子部３３を一組の端子群３５として、この端子群３５が、２組形成されている。
【００２４】
また、同様に、ゲート駆動回路部６は、図９に示す従来例と同様、２分割され、１枚の液晶パネル３に対して、複数、図示する例では、２つの同一構成のゲート駆動回路要素６ａ、６ｂから形成されている。各ゲート駆動回路要素６ａ、６ｂは、１つのＹ−ＰＣＢ６１と、このＹ−ＰＣＢ６１に接続され、ゲートドライバ用信号に基づいて液晶パネル３のゲート線を駆動するゲートドライバ６３ｇが実装された複数、図示する例では、３つのゲート用ＣＯＦ６３とから形成されている。Ｙ−ＰＣＢ６１には、ゲート用の伝送ＦＰＣ７２が接続される入力コネクタ６２ａ、６２ｂが設けられ、ゲート駆動回路要素６ａは、入力コネクタ６２ａに伝送ＦＰＣ７２が接続され、ゲート駆動回路要素６ｂは、入力コネクタ６２ｂに伝送ＦＰＣ７２が接続されている。なお、入力コネクタ６２ａ、６２ｂは、これら入力コネクタ６２ａ、６２ｂのいずれか一方のみとし、また、この場合、Ｙ−ＰＣＢ６１の中心部分に形成するようにしてもよいのは、勿論である。
【００２５】
以上の構成による本実施形態によれば、ソース駆動回路部５は、複数のソース駆動回路要素５ａ、５ｂに分割して構成されても、各ソース駆動回路要素５ａ、５ｂのＸ−ＰＣＢ５１は、ソース用の伝送ＦＰＣ７１が接続される入力コネクタ５２ｃを１つのみからなる同一構成であり、しかも、液晶パネル３は、ソース駆動回路要素５ａ、５ｂの１つを形成するソース用ＣＯＦ５３の数に対応する数のソース端子部３３を一組の端子群３５として、この端子群３５をソース駆動回路要素５ａ、５ｂの数に対応する数が液晶パネルに形成してある。従って、複雑で、かつ、高周波帯域の周波数であるソースドライバ用信号が流れるＸ−ＰＣＢ５１の配線パターンの特性インピーダンスは、同じとなり、ＥＭＩノイズの抑制を図ることができる。この結果、液晶パネル３の大型化に伴って、ソース駆動回路部５を、複数のソース駆動回路要素５ａ、５ｂに分割しても、Ｘ−ＰＣＢ５１の共通化が図れ、その構成は、簡単で、経済的なものとなる。
【００２６】
（第２実施形態）
次に、本発明の第２実施形態について図７および図８を参照しながら説明する。図７は、本発明の第２実施形態に係る液晶パネルを画像表示面側からみた概略展開図、図８は、図７の概略背面図である。なお、図７および図８において、上述した図１乃至図６と同じ符号を付した部分は、略同一のものを示すため、ここでは詳細な説明は省略する。以下、上述した第１実施形態との相違点を中心に説明する。
【００２７】
本実施形態では、図７および図８に示すように、上述の第１実施形態と同様、ソース駆動回路部５は、２組のソース駆動回路要素５ａ、５ｂから形成するとともに、液晶パネル３は、非表示領域３２の上下の左右に対称に４組の端子群３５が形成されている。また、主プリント配線基板４は、液晶パネル３の背面の略中心部分の、例えば、フレ−ム（不図示）の上に配設されている。そして、図示する例では、ソース駆動回路要素５ａ、５ｂは、上下のそれぞれに非対称、即ち、図７に示す例では、ソース駆動回路要素５ａを紙面上の左側に、ソース駆動回路要素５ｂを紙面下の右側に、それぞれ配設している。なお、この配列は、図示以外に、この逆の配置でも、或いは、上下のいずれか一方（上側の場合は、第１実施形態と同様）にのみ配置してもよいのは、勿論である。
【００２８】
以上の構成による本実施形態よれば、上述した実施形態と同様の作用効果を奏する他、
液晶パネル３は、その上下に、ソース駆動回路要素５ａ、５ｂの数の２倍の端子群５３が配置されている。従って、ソース駆動回路部５ａ、５ｂを上下のいずれかに接続するか、或いは、上下のそれぞれに非対称に配設することができ、Ｘ−ＰＣＢ５１の種々のパターンに対応することができ、都合がよい。
【００２９】
更に、本実施形態によれば、主プリント配線基板４が、液晶パネル３の背面の略中心部分に配設されているので、主プリント配線基板４と、ソース駆動回路部５とを接続するソース用伝送ＦＰＣ７１および主プリント配線基板４と、ゲート駆動回路部６とを接続するゲート用伝送ＦＰＣ７２を、それぞれ同じ構成にでき、かつ、これら構成が左右対称配置となり、より効果的に、ＥＭＩノイズの抑制を図ることができ、都合がよい。
【００３０】
なお、上述した各実施形態は、本発明の好適な実施例であるが、本発明はこれに限定されるものではなく、本発明の要旨を逸脱しない範囲において、種々変形実施可能である。
【００３１】
例えば、上述した実施形態では、液晶表示装置を、液晶テレビジョン１に用いた場合について詳述したが、他の表示装置に本発明を適用してもよいのは、勿論である。
【図面の簡単な説明】
【００３２】
【図１】本発明の一実施形態に係る液晶表示装置の一例である液晶テレビジョンの概略構成を示す正面図である。
【図２】図１に示す液晶テレビジョンに用いた液晶モジュールの液晶パネルを画像表示面側からみた概略展開図である。
【図３】図２に示す液晶モジュールの要部断面図である。
【図４】図２に示す液晶パネルの一部を示す概略平面図である。
【図５】図２に示すソース駆動回路要素の概略平面図である。
【図６】図４に示すソース用ＣＯＦの概略平面図である。
【図７】本発明の第２実施形態に係る液晶パネルを画像表示面側からみた概略展開図である。
【図８】図７の概略背面図である。
【図９】従来の液晶パネルを画像表示面からみた展開図である。
【図１０】図９に示す従来のソース駆動回路要素の一方の概略平面図である。
【図１１】図９に示す従来のソース駆動回路要素の他方の概略平面図である。
【符号の説明】
【００３３】
１      液晶テレビジョン（液晶表示装置）
２      液晶モジュール
３      液晶パネル
３１    表示領域
３２    非表示領域
３３    ソース端子部
３５    端子群
４      主プリント配線基板
４１    表示信号処理部
４２    映像信号入力端子
４３ａ  ドライバ用信号出力端子
４３ｂ  ドライバ用信号出力端子
４４ａ  ドライバ用信号出力端子
４４ｂ  ドライバ用信号出力端子
５      ソース駆動回路部
５ａ    ソース駆動回路要素
５ｂ    ソース駆動回路要素
５１    ソース分配プリント回路基板（Ｘ−ＰＣＢ）
５２ｃ  入力コネクタ
５３    ソース用チップオンフイルム基板（ソース用ＣＯＦ）
５３ｓ  ソースドライバ
５３ｔ  出力端子部
７１    フレキシブル配線基板
【図１】
2009020228.tif 000003
【図２】
2009020228.tif 000004
【図３】
2009020228.tif 000005
【図４】
2009020228.tif 000006
【図５】
2009020228.tif 000007
【図６】
2009020228.tif 000008
【図７】
2009020228.tif 000009
【図８】
2009020228.tif 000010
【図９】
2009020228.tif 000011
【図１０】
2009020228.tif 000012
【図１１】
2009020228.tif 000013